(57)【要約】      （修正有）【課題】  大規模事業所等において、各機能毎に構築されたシステムを統一し、工事履歴情報を一元管理する。【解決手段】  工事件名毎に構築されその作業設計データベースを有する工事管理システムと、日常保守工事毎に構築された日常保守システムと、設備または機器の図面を管理する図面管理システムと、統合インターフェース画面を提供する保全管理システムとで設備保全システムを構成し、前記保全管理システムは、設備または機器毎に記憶装置内に生成された台帳フォルダと、点検周期を記録した周期表データベースと、点検が必要な台帳フォルダを読み出し、工事報告に基づく点検記録の入力を許可する点検記録データベースと、工事毎に工事記録を登録する経歴情報データベースと、工事に関連したドキュメント等のファイルを登録する添付書類データベースと、入力を許可する入力画面を生成する画面生成手段とを備えた構成とした。【選択図】図１
2005084810.tif 000002
【特許請求の範囲】
【請求項１】
事業所内の設備または機器を統合管理する設備保全システムであって、
少なくとも工事件名毎に構築されその作業設計データベースを有する工事管理システムと、
日常保守工事毎に構築された日常保守システムと、
設備または機器の図面を管理する図面管理システムと、
統合インターフェース画面を提供する保全管理システムとからなり、
前記保全管理システムは、
設備または機器毎に記憶装置内に生成された台帳フォルダと、
前記台帳フォルダ毎に点検周期を記録した周期表データベースと、
前記周期表データベースに基づいて点検が必要な前記台帳フォルダを読み出して、前記工事管理システムの作業設計データベースと関連付けて生成され、工事報告に基づく点検記録の入力を許可する点検記録データベースと、
前記台帳フォルダ内に登録され、工事毎に工事記録を登録する経歴情報データベースと、
前記台帳フォルダ内に登録され、工事に関連したドキュメント等のファイルを登録する添付書類データベースと、
少なくとも前記点検記録データベースと経歴情報データベースと添付書類データベースとの入力を許可する入力画面を生成する画面生成手段とを備えた設備保全システム。
【請求項２】
前記保全管理システムは、さらに、前記点検記録データベース、経歴情報データベースまたは添付書類データベースへの入力が完了した後に前記周期表データベースを更新する請求項１記載の設備保全システム。
【請求項３】
前記保全管理システムの点検記録データベースには契約情報を登録可能である請求項１記載の設備保全システム。
【請求項４】
事業所内の設備または機器を統合管理する設備保全システムにおける保全管理システムであって、
設備または機器毎に記憶装置内に生成された台帳フォルダと、
工事管理システムから受信した周期表データベースに基づいて点検が必要な前記台帳フォルダを読み出して、前記工事管理システムの作業設計データベースと関連付けて生成され、工事報告に基づく点検記録の入力を許可する点検記録データベースと、
前記台帳フォルダ内に登録され、工事毎に工事記録を登録する経歴情報データベースと、
前記台帳フォルダ内に登録され、工事に関連したドキュメント等のファイルを登録する添付書類データベースと、
少なくとも前記点検記録データベースと経歴情報データベースと添付書類データベースとの入力を許可する入力画面を生成する画面生成手段とを備えた保全管理システム。
【請求項５】
事業所内の設備または機器を統合管理する設備保全システムにおける保全管理方法であって、
保全管理サーバの中央処理装置によって、工事管理システムから受信した周期表データベースに基づいて点検が必要な前記台帳フォルダを読み出し、
前記工事管理システムの作業設計データベースと関連付けて工事報告に基づく点検記録の入力を許可する点検記録データベースを生成し、
工事毎に工事記録を登録する経歴情報データベースを前記台帳フォルダに登録し、必要に応じて前記工事に関連したドキュメント等のファイルを添付書類データベースに登録するための入力を許可する入力画面を生成する保全管理方法。
【請求項６】
事業所内の設備または機器を統合管理する設備保全システムにおける保全管理プログラムであって、
保全管理サーバの中央処理装置によって、工事管理システムから受信した周期表データベースに基づいて点検が必要な前記台帳フォルダを読み出すステップと、
前記工事管理システムの作業設計データベースと関連付けて工事報告に基づく点検記録
の入力を許可する点検記録データベースを生成するステップと、
工事毎に工事記録を登録する経歴情報データベースを前記台帳フォルダに登録し、必要に応じて前記工事に関連したドキュメント等のファイルを添付書類データベースに登録するための入力を許可する入力画面を生成するステップとからなるコンピュータ実行可能な保全管理プログラム。
【請求項７】
事業所内の設備または機器を統合管理する設備保全システムにおける保全管理プログラムを記録した記録媒体であって、
保全管理サーバの中央処理装置によって、工事管理システムから受信した周期表データベースに基づいて点検が必要な前記台帳フォルダを読み出すステップと、
前記工事管理システムの作業設計データベースと関連付けて工事報告に基づく点検記録の入力を許可する点検記録データベースを生成するステップと、
工事毎に工事記録を登録する経歴情報データベースを前記台帳フォルダに登録し、必要に応じて前記工事に関連したドキュメント等のファイルを添付書類データベースに登録するための入力を許可する入力画面を生成するステップとからなるプログラムを記録したコンピュータ実行可能な記録媒体。
【発明の詳細な説明】
【技術分野】
【０００１】
本発明は、発電所等の大規模事業所における設備や機器の保全管理に適用して有効な技術に関する。
【背景技術】
【０００２】
発電所等の大規模事業所では膨大な機器や設備の保守・点検が必要であり、機器・設備毎に保守・点検の程度や時期も異なるためこれらを統合管理することが難しかった。
【０００３】
そのため従来のシステムでは、各業務プロセスの一部分を機能単位で分割してそれぞれの保全システムを構築していた。
【０００４】
たとえば、設備の工事費用の予算管理、積算機能や決算機能は「工事管理システム」としてシステム構築しており、事業所設備の図面および機器構成管理は「設備管理システム」としてシステム構築し、さらに、日常保守作業の発注や検収等の費用管理機能は「日常保守管理システム」としてシステム構築していた。
【０００５】
以上のように、それぞれの機能はシステム化されているものの、情報が一元管理されていないために、以下のような問題があった。
【０００６】
第１に、工事単位での費用等の情報は前述のように工事管理システムが把握しているが、設備単位では把握できないといった問題があった。
【０００７】
第２に、ある特定の設備に対する工事履歴を調べるといったことが困難だった。たとえば、特定の設備について、設備管理システムによって図面や機器構成は管理されているものの、当該設備に対する日常保守作業の発注や検収等の情報は別システムの日常保守委託管理システムが管理しているため、設備という視点からの履歴把握はほとんど困難だった。
【０００８】
第３に、図面や機器の情報を工事の実施時に適切に更新または登録することが困難だった。つまり、図面や機器の情報は設備管理システムで管理されているが、これらの情報の更新は事後的であるため、工事実施完了後に長期間にわたって情報が更新されていないことがあってもそれをチェックすることが難しかった。
【０００９】
第４に、工事管理システムと日常保守委託管理システムとが分離しているために、日常保守作業で実施された設備の履歴を、設備または機器毎に把握することが困難だった。
【００１０】
以上に問題点を例示したように、これらを集約すれば、従来のシステムは機能毎に分離しているため、設備または機器に着目した情報の管理ができていないという状況となっていた。
【００１１】
なお、発電所等のプラント設備の保守・管理システムに関する先行特許文献としては以下のものがあるが、いずれも上記問題点に着目したものではなかった。
【特許文献１】特開２００２−１８３２７６号公報
【特許文献２】特開２００２−４１１３１号公報
【特許文献３】特開平５−２５０３７８号公報
【特許文献４】特開２０００−２６７７２２号公報
【発明の開示】
【発明が解決しようとする課題】
【００１２】
本発明は、前記に鑑みてなされたもので、各機能毎に構築されたシステムを統一し、工事履歴情報を一元管理することを技術的課題とする。
【課題を解決するための手段】
【００１３】
前記課題を解決するために、本発明では、以下の手段を採用した。
【００１４】
すなわち、第１の課題解決手段は、少なくとも工事件名毎に構築されその作業設計データベースを有する工事管理システムと、日常保守工事毎に構築された日常保守システムと、設備または機器の図面を管理する図面管理システムと、統合インターフェース画面を提供する保全管理システムとで設備保全システムを構成し、前記保全管理システムは、設備または機器毎に記憶装置内に生成された台帳フォルダと、前記台帳フォルダ毎に点検周期を記録した周期表データベースと、前記周期表データベースに基づいて点検が必要な台帳フォルダを読み出し、前記工事管理システムの作業設計データベースと関連付けて生成され、工事報告に基づく点検記録の入力を許可する点検記録データベースと、前記台帳フォルダ内に登録され、工事毎に工事記録を登録する経歴情報データベースと、前記台帳フォルダ内に登録され、工事に関連したドキュメント等のファイルを登録する添付書類データベースと、少なくとも前記点検記録データベースと経歴情報データベースと添付書類データベースとの入力を許可する入力画面を生成する画面生成手段とを備えた構成としたものである。
【００１５】
このように、設備または機器単位で台帳フォルダを備えた保全管理システムを構築し、工事管理システムと連携するとともに、入力画面を画面生成手段により統一することにより、工事のみに着目していた工事管理システムを設備または機器の視点から管理することができるようになり、台帳フォルダ内の点検記録データベース、経歴情報データベース等を参照することにより、設備や機器についての工事履歴の参照が極めて容易となる。
【００１６】
第２の解決手段は、前記第１の手段に加えて、さらに、前記点検記録データベース、経歴情報データベースまたは添付書類データベースへの入力が完了した後に前記周期表データベースを更新するようにしたものである。
【００１７】
これにより、周期表データベースに基づいて次の定期点検の期日の管理がより確実なものとなる。
【００１８】
第３の解決手段は、前記保全管理システムの点検記録データベースに契約情報を登録するようにしたものである。
【００１９】
これにより、設備または機器についての過去の工事およびその契約情報を参照することができ、当該設備または機器に関する次回の発注処理を円滑に行うことが可能となる。
【発明の効果】
【００２０】
本発明によれば、大規模な事業所において、設備や機器単位での点検記録や工事経歴情報の管理が可能となる。
【発明を実施するための最良の形態】
【００２１】
以下に、本発明の実施のための最良形態を図面を用いて説明する。
【００２２】
図１は、本発明のシステム構成を示したブロック図である。同図に示すように、このシステムでは保全管理サーバ１０１と、工事管理サーバ１０２と、図面管理サーバ１０３と、日常保守サーバ１０４とがネットワークを介して接続されている。このネットワーク（
ＮＷ）はたとえばＴＣＰ／ＩＰによるいわゆるインターネット等の汎用プロトコルによるデータ転送網であり、当該ネットワーク（ＮＷ）には事業所端末１１１、外部事業者端末１１２等が接続されて前記各サーバへのアクセスが可能となっている。なお、各サーバではアクセス制限を設けて端末毎に各サーバへのアクセス可能な階層が管理されていてもよい。
【００２３】
その場合、保全管理サーバ１０１のデータベース装置等にアクセス管理テーブルを設けて事業者端末１１１や外部事業者端末１１２毎にアクセス可能な閲覧画面や入力画面を制限してもよい。
【００２４】
各サーバは汎用の情報処理装置で構成されているが、ここでは保全サーバで代表してそのハードウエア構成を説明する。
【００２５】
保全管理サーバ１０１は、メインメモリ（ＭＭ）を備えた中央処理装置（ＣＰＵ）を中心に、バスで接続されたハードディスク装置、出力装置としての表示装置および入力装置としてのキーボードを有している。ハードディスク装置内には、オペレーティングシステム（ＯＳ）とともに当該情報処理装置を保全管理サーバ１０１として機能させるためのプログラム、たとえば保全管理プログラム等が格納されており、さらに各種テーブルやデータベースの一部を登録することもできる。
【００２６】
また、保全管理サーバ１０１は、外部にデータベース装置（ＤＢ）を有しており、このデータベース装置（ＤＢ）には定検周期表データベース１０１ａ、点検記録データベース１０１ｂ、経歴情報データベース１０１ｃ、添付書類データベース１０１ｄ等の各種データベースが登録されている。これらの各データベースについての詳細は後述する。
【００２７】
工事管理サーバ１０２も前記保全管理サーバ１０１と同様のハードウエア構成を有しており、図示を省略した外部のデータベース装置（ＤＢ）に、総括情報データベース１０２ａ、費用概算データベース１０２ｂ、点検コード内訳データベース１０２ｄ、資材情報データベース１０２ｅ、工事報告フォルダ情報データベース１０２ｆ、作業設計データベース１０２ｇ等が登録されている。
【００２８】
図２は、工事管理サーバ１０２による工事管理手順を示したもので、工事管理サーバ１０２の中央処理装置（ＣＰＵ）が工事管理プログラムを読み出して実行することにより実現されるものである。
【００２９】
件名登録ステップ（Ｓ２０１）では、ネットワークを介した事業所端末１１１等から総括情報データベース１０２ａへの入力を受け付ける。当該件名登録ステップにより、工事番号、工事件名、竣工期等の情報が登録される。
【００３０】
次に、作業設計ステップ（Ｓ２０２）では、作業設計データベース１０２ｇ１０２ｇに対して点検部位毎に点検種別が登録される。この作業設計データベース１０２ｇ１０２ｇへの登録結果に基づいて作業指示書が出力される。
【００３１】
次の費用概算ステップ（Ｓ２０３）では、前記ステップで決定された点検種別に基づいて費用概算データベース１０２ｂを検索し、費用の算出を行う。このとき、積算定数データベース１０２ｃより点検種別に基づいた点検コードを読み出してその点検コードに対応付けられた単価が読み出されるようになっている。さらに同ステップでは、点検コードに対応した工種コードが読み出されて当該工事毎の点検コード内訳データベース１０２ｄが生成される。このとき、作業設計の内容に基づいて工種数量、工種内訳の単価数量を事業所端末１１１装置等から修正可能となっている。このような点検コード内訳データベース１０２ｄに基づいて施工範囲表が出力される。この施工範囲表に基づいて外部業者は見積
の作成が可能となる。
【００３２】
次の資材請求ステップ（Ｓ２０４）では、資材情報データベース１０２ｅにアクセスし、必要な資材情報を外部の図示しない資材契約システム１０２ｈに通知し、当該資材契約システム１０２ｈより工事の契約先決定通知が返信されると、検収待ち状態となる。
【００３３】
契約決定ステップ（Ｓ２０５）では、工事報告フォルダ情報データベース１０２ｆが生成され、契約先業者名とともに、保全管理サーバ１０１のフォルダ構成が定義される。
【００３４】
検収ステップ（Ｓ２０６）では、外部業者端末１１２等より工事完了の検収処理入力を受け付けるものであり、この検収処理入力は工事管理サーバ１０２の中央処理装置（ＣＰＵ）によって資材情報データベース１０２ｅと比較されて適正であれば資材契約システム１０２ｈに検収報告を通知する。
【００３５】
次に、図３を用いて保全管理サーバ１０１の保全管理プログラムの処理と各データベースの構築について説明する。
【００３６】
保全管理プログラムは、前記各データベースを構築するとともに、事業所端末１１１または外部事業者端末に提供するインターフェース画面を生成する機能を有している。
【００３７】
これらのインターフェース画面はＨＴＭＬ(Hyper Text Mark-up Language)により記述されたテキストファイルであり、事業所端末１１１等はこれらのＨＴＭＬファイルの格納アドレス、すなわちＵＲＬ(Uniform Resource Locator)を指定することにより当該ＨＴＭＬファイルが事業所端末１１１等にダウンロードされ、事業所端末１１１等にインストールされたブラウザプログラムにより当該ＨＴＭＬファイルが解析されて所定のインターフェース画面として事業所端末１１１等の表示画面に表示される。
【００３８】
オペレータは表示画面に表示されたインターフェース画面に所定の数値等を入力することにより保全管理サーバ１０１のＣＧＩ機能により入力データが各データベースに登録されるようになっている。
【００３９】
なお、これらのインターフェース画面の生成については保全管理サーバ１０１の他に設けられた図示しないＷＥＢサーバが行ってもよい。
【００４０】
前述の工事管理に際して、保全管理サーバ１０１はまず定検周期表データベース１０１ａをデータベース装置（ＤＢ）から読み出して、時期の到来が迫っている定期点検に関する情報を読み出す。
【００４１】
そして、工事管理サーバ１０２から作業設計データベース１０２ｇを読み出して、当該データベースの内容項目をコピーして点検記録データベース１０１ｂを生成する。この点検記録データベース１０１ｂは、工事番号、付託番号、契約先、台帳名称および指示の有無とそれに対応した点検部位、点検方法、実施報告（点検記録）等が登録可能となっている。実施報告は前述の事業所端末１１１または外部業者端末１１２に表示されたインターフェース画面に基づいて工事報告としてオペレータが入力するようになっている。
【００４２】
また、点検記録データベース１０１ｂには契約先等の契約情報が登録可能となっており、この契約情報は、工事管理サーバ１０２の処理中の契約決定ステップ（Ｓ２０５）で資材情報データベース１０２ｅの内容を保全管理プログラムに基づいて中央処理装置（ＣＰＵ）が読み込むことにより登録可能である。
【００４３】
経歴情報データベース１０１ｃは、台帳毎に工事記録と懸案事項が登録されるようになっている。これらの項目へのデータ入力も、外部業者端末１１２に表示されたインターフェース画面に基づいて工事報告としてオペレータが行うようになっている。
【００４４】
添付書類データベース１０１ｄは、ワードプロセッサによって作成された文書ファイルやイメージファイル等のようにフォーマットの異なるファイルが登録可能となっている。すなわち台帳フォルダでは、このような当該工事で用いられた様々なドキュメントや図面情報を一括して管理できるようになっている。
【００４５】
このように、保全管理サーバ１０１では、台帳フォルダという概念を用いて、工事管理サーバ１０２で生成された作業設計データベース１０２ｇに基づいて、点検記録データベース１０１ｂと、経歴情報データベース１０１ｃと、添付書類データベース１０１ｄとが生成されることにより、工事管理サーバ１０２で処理される費用積算ステップ（Ｓ２０３）に先だって当該工事と台帳フォルダとが関連付けられて契約決定以降に工事報告の登録が可能となる。
【００４６】
工事管理サーバ１０２による検収ステップ（Ｓ２０６）が終了すると、保全管理サーバ１０１は工事完了を認識して定検周期表データベース１０１ａを更新する。
【００４７】
図４は、事業所端末１１１または外部業者端末１１２に表示されるメニュー画面のツリー構成を示している。すなわち、端末上の初期画面は図５に示す起動メニュー４０１であり、当該起動メニューの項目を選択することにより、保全管理メニュー（図６）４０２、図面管理メニュー（図７）４０３、保全共通メニュー（図８）４０４、ドキュメント管理メニュー（図９）４０５等が表示されるようになっている。
【００４８】
ここで、図６に示す保全管理メニューで表示される工事報告のメニュー画面の遷移についてさらに詳細に説明する。
【００４９】
図６の保全管理メニューの「工事報告」を選択すると、図１０に示す＜工事報告−総括情報パネル＞が表示される。ここでは工事報告の基本情報として、工事番号、契約番号、工事件名等が入力可能となっている。ここで工事管理サーバ１０２の管理により件名登録がなされると、図１１に示すように、「作成中」、「確認中」、「確認済」のステータス変更ボタンが表示される。
【００５０】
また、図１０に示すパネルは「添付書類（総括フォルダ）」と名付けられたサブタグを有しており、このタグを指定すると、図１２に示す＜工事報告−添付書類（総括フォルダ）パネル＞が表示される。ここでは、ドキュメント種別と添付書類名とが表示される。そして、添付書類名にはハイパーリンクが設定されており、当該書類名が指定されると書類に定義付けられたワードプロセッサ等のアプリケーションが起動して当該書類を参照・編集することができるようになる。
【００５１】
図１３は、＜工事報告−報告対象一覧画面＞である。これは設備台帳の工事報告一覧を示している。この図１３に示す画面中の「表示切替」ボタンを選択すると、図１４に示す数物台帳の集約一覧の画面に切り替わる。この画面では、点検基準分類名称毎に入力状況が表示されるようになっている。この画面に表示されている「詳細」の部分を選択すると図１５に示す詳細画面が表示される。
【００５２】
図１４の「工事報告・所見入力」ボタンを選択すると図１６に示す＜工事報告・所見パネル＞に遷移する。
【００５３】
図１６の＜工事報告・所見パネル＞では、工事報告件名毎に所見が文章で入力可能となっている。このパネルに用意された「点検記録」タグを指定すると、図１７に示す＜点検記録パネル＞に遷移する。また、「部品記録」タグを指定すると、図１８に示す＜部品記録パネル＞に遷移する。また、「添付書類」タグを選択すると、図１９に示す＜添付書類パネル＞に遷移する。さらに、「設備診断書登録」ボタンを選択すると、図２０に示すポップアップ画面が表示され、診断書の発行番号と診断書名称とが表示されるようになっている。
【００５４】
図１６に示された＜工事報告−所見パネル＞は、単体の大型の設備に対する工事記録に関するものであるが、この他に複数の設備・機器をまとめて管理する数物台帳の＜工事報告−所見パネル＞も同様の構成とすることができる。
【産業上の利用可能性】
【００５５】
本発明は、火力発電所、水力発電所、原子力発電所等の大規模事業所の設備・機器管理システムに利用することができる。
【図面の簡単な説明】
【００５６】
【図１】実施形態のシステム構成を示すブロック図
【図２】工事サーバによる工事管理手順を示すフローおよびデータベース構成を示す図
【図３】保全管理サーバ１０１による処理手順とデータベースの構成を示す図
【図４】端末に表示されるメニュー画面のツリー構成を示すブロック図
【図５】起動メニューを示す画面表示
【図６】保全管理メニューを示す画面表示
【図７】図面管理メニューを示す画面表示
【図８】保全共通メニューを示す画面表示
【図９】ドキュメント管理メニューを示す画面表示
【図１０】工事報告−総括情報パネルの画面表示（１）
【図１１】工事報告−総括情報パネルの画面表示（２）
【図１２】工事報告−添付書類（総括フォルダ）の画面表示
【図１３】工事報告−報告対象一覧画面（１）
【図１４】工事報告−報告対象一覧画面（２）
【図１５】工事報告−報告対象詳細画面
【図１６】工事報告・所見パネル画面
【図１７】点検記録パネル画面
【図１８】部品記録パネル画面
【図１９】添付書類パネル
【図２０】工事報告・所見パネルのポップアップ画面
【符号の説明】
【００５７】
１０１  保全管理サーバ
１０１ａ  定検周期表データベース
１０１ｂ  点検記録データベース
１０１ｃ  経歴情報データベース
１０１ｄ  添付書類データベース
１０２  工事管理サーバ
１０２ａ  総括情報データベース
１０２ｂ  費用概算データベース
１０２ｃ  積算定数データベース
１０２ｄ  点検コード内訳データベース
１０２ｅ  資材情報データベース
１０２ｆ  工事報告フォルダ情報データベース
１０２ｇ  作業設計データベース
１０２ｈ  資材契約システム
１０３  図面管理サーバ
１０４  日常保守サーバ
１１１  事業所端末
１１２  外部業者端末
４０１  起動メニュー
４０２  保全管理メニュー
４０３  図面管理メニュー
４０４  保全共通メニュー
４０５  ドキュメント管理メニュー
ＣＰＵ  中央処理装置
ＭＭ  メインメモリ
ＤＢ  データベース装置
【図１】
2005084810.tif 000003
【図２】
2005084810.tif 000004
【図３】
2005084810.tif 000005
【図４】
2005084810.tif 000006
【図５】
2005084810.tif 000007
【図６】
2005084810.tif 000008
【図７】
2005084810.tif 000009
【図８】
2005084810.tif 000010
【図９】
2005084810.tif 000011
【図１０】
2005084810.tif 000012
【図１１】
2005084810.tif 000013
【図１２】
2005084810.tif 000014
【図１３】
2005084810.tif 000015
【図１４】
2005084810.tif 000016
【図１５】
2005084810.tif 000017
【図１６】
2005084810.tif 000018
【図１７】
2005084810.tif 000019
【図１８】
2005084810.tif 000020
【図１９】
2005084810.tif 000021
【図２０】
2005084810.tif 000022